(57)【特許請求の範囲】
【請求項１】
表面板と裏面板とを周辺部で一体に結合してなり、前記表面板を対角線で分画して形成した分画開口部を境に自重により変形して不陸に添うことができるフリーアクセス床板において、分画開口部は対角線を挟んで対向する端部の一方を下方に折り曲げて単純対角線リブを形成し、前記端部の他方を下方に折り曲げ、更に略水平に折り曲げて水平支持面を有する複合対角線リブを形成してなり、前記単純対角線リブの端部が前記水平支持面に略当接状態に、そして該水平支持面が裏面板に略当接状態にあることを特徴とするフリーアクセス床板。
【発明の詳細な説明】
【０００１】
【発明の属する技術分野】
本発明は、基礎床面上に配列し、コンピュータをはじめとする各種電子機器の床下配線を可能とするフリーアクセスフロアを構築するフリーアクセス床板(以下、床板と略する)のうち、特に基礎床面の不陸に添うことができる床板の改良に関する。
【０００２】
【従来の技術】
ＯＡ化したオフィス等で、各種電子機器の床下配線用の空間を確保するフリーアクセスフロアは、所定形状の床板を基礎床面上に多数配列して構築する。この床板は、例えば、略方形の表面板(トッププレートと呼ばれる)に、多数の凸状絞り部を形成した凹凸補強構造の裏面板(ボトムプレートと呼ばれる)を周辺部で一体にした構成で、支持脚を介して基礎床面上に敷設し、基礎床面と床板との間に配線空間を形成する。一般に、表面板及び裏面板は、それぞれ金属板、例えば表面化粧鋼板(亜鉛メッキ鋼板等)であり、表面板上面に仕上材としてカーペットや樹脂シート等が貼着される。
【０００３】
こうした床板は、四隅の高さにバラツキがあると敷設後にガタツキが生じるので、高い平面精度が要求される。しかし、基礎床面側の平面度が必ずしも良好でなく不陸が存在するため、いくら床板の平面精度が高くともガタツキが発生してしまい、敷設時にこのガタツキを調整する作業に多大な時間を要していた。これを解決するため、本発明者は、特公平4-35586号において、表面板又は裏面板の一方を対角線で分画し、この分画開口部を境に変形することで不陸に添うことができる床板を提案した。この結果、従来と変わらぬ略方形の床板でありながら、不陸に添ったフリーアクセスフロアが構築できるようになったのである。
【０００４】
【発明が解決しようとする課題】
上記特公平4-35586号は、表面板又は裏面板で対角線で分画した３点支持の三角形状を基礎床面上に配列することで、不陸に添う床板を構成すると共に、単体として三角形状とした床板に見られる取扱いの不便さを解消し、単位面積当たりのコストが高くなることを抑えたものである。しかし、もともと１枚の金属製板からなる表面板又は裏面板を分画したため、この分画開口部の構造強度が低下するといった問題が現れることになった。
【０００５】
上記問題を先に挙げた特公平4-35586号で説明すれば、表面板を対角線で分断し、その対向する端部をそれぞれ延設して下方に折り曲げて対角線リブを形成した構造では、分画開口部が単純な対角線リブのみで構成されるために断面係数が低く、構造強度があまり強くならなかったのである。
【０００６】
構造強度の向上を図るには、各対角線リブの端部から更に延設して折り曲げて水平な支持面を形成することで断面係数を高める手段が考えられる。ただし、分画開口部の幅は最低でもハイヒールの踵が落ち込まない程度、すなわち８mm以下と非常に狭いため、前記支持面は互いに突き合う方向に形成できず、この支持面は対角線リブを延設して下方に折り曲げ、断面コの字状に形成することになるのであるが、同方向への２段階の折曲げは工程も２段階となり、実際的でない。そこで、製造コストを抑えながら、加工の手間を掛けず、確実に分画開口部における床板の強度を向上させる構造について検討することにしたのである。
【０００７】
【課題を解決するための手段】
上記背景のもとに検討した結果開発したものが、表面板と裏面板とを周辺部で一体に結合してなり、前記表面板を対角線で分画して形成した分画開口部を境に自重により変形して不陸に添うことができるフリーアクセス床板において、この分画開口部は対角線を挟んで対向する端部の一方を下方に折り曲げて単純対角線リブを形成し、前記端部の他方を下方に折り曲げ、更に略水平に折り曲げて水平支持面を有する複合対角線リブを形成してなり、前記単純対角線リブの他方の端部が前記水平支持面に略当接状態に、そしてこの水平支持面が裏面板に略当接状態にあるようにした床板である。
【０００８】
従来の分画開口部には本発明における単純対角線リブに相当する対角線リブのみがあり、断面係数が高くない上に、各対角線リブそれぞれが個別に分画開口部付近の荷重を支えていたため、構造強度が低かった。本発明では、複合対角線リブについては水平支持面を形成することにより断面係数を高めており、単純対角線リブについては端部を水平支持面に略当接状態にすることで、単純対角線リブ側に掛かる荷重に対して複合対角線リブと単純対角線リブとが共同して対抗することができ、結果として分画開口部全体の構造強度を向上させたのである。
【０００９】
複合対角線リブは、分画した表面板を断面クランク状に折り曲げて形成するので、通常１回の折り曲げ加工で形造ることができる。また、このように折り曲げ個所が複数ある複合対角線リブは対角線を挟む一方の端部にのみ形成するので、対角線を挟む端部双方に断面コの字状の対角線リブを形成する場合に比べ、材料が少なくて済む利点がある。このように、本発明の分画開口部は、製造コスト及び手間が掛からず、極めて簡素な構造で構造強度の向上を図ることができる特徴を有するのである。
【００１０】
水平支持面と単純対角線リブの端部との略当接状態、及び水平支持面と裏面板との略当接状態は、水平支持面を略水平、好ましくは若干上向く程度に折り曲げて形成することで実現する。水平支持面を若干上向きに形成するのは、裏面板との間に適度な隙間を形成することで、分画開口部における床板の変形を妨げないようにするためである。
【００１１】
【発明の実施の形態】
以下、本発明の床板について、実施形態を図示しながら説明する。図１は本発明の床板１の平面図、図２は同背面図である。この床板１は、図１及び図２に見られるように、周辺部において表面板２の周縁を折り曲げて裏面板３の周縁に被せ、部分的に表面板２と裏面板３とを一体にかしめた挟着部４を設けて表面板２と裏面板３とを結合し、内部にコア材５を充填(図３参照)した鋼板製床板で、表面板２の対角線で分画して分画開口部６を形成し、シール材７を注入している。コーナー部には床下の通信線等を引き出すための切欠部８を設けている。また、裏面板３には補強用の凸状絞り部９を多数設け、各凸状絞り部９の頂点を内側より表面板２に当接させ、この当接部分に表面板２と凸状絞り部９とを一体にかしめた挟着部10を設けることで、表面板２と裏面板３との一体性をより強固なものにし、かつ床板１としての構造強度を向上させている。
【００１２】
図３又は図４はそれぞれ図１中Ａ−Ａ断面図で、図３は水平支持面11を延設した複合対角線リブ12側に荷重Ｆが懸けられた場合、図４は前記水平支持面11に対して端部を当接させた単純対角線リブ13側に荷重Ｆが懸けられた場合を表している。図３又は図４に見られるように、本例の床板１に設けた分画開口部６は、表面板２を対角線で分画し、対向する端部の一方を延設して下方、水平の順に折り曲げて水平支持面11を形成した複合対角線リブ12とし、前記対向する端部の他方を下方に折り曲げて単純対角線リブ13とし、その端部を前記水平支持面11に略当接状態とした断面構造を有している。なお、水平支持面11は単純対角線リブ13の大部分を支持できればよく、全長にわたって支持する必要はない(図１参照)。この床板１は、この分画開口部６を境に裏面板３が基礎床面に添うよう変形することで、敷設後のガタツキをなくす。分画開口部６の幅は、最低限ハイヒールの踵が落ち込まない程度、約８mm以下でなければならず、不陸に添う際の裏面板３の変形が極微量であることから、通常１〜２mmに設定する。
【００１３】
このような分画開口部６に荷重Ｆが掛かった場合を説明する。まず、複合対角線リブ12側に荷重Ｆが掛かった場合、図３に見られるように水平支持面11が裏面板３に面接触して複合対角線リブ12を支持する。複合対角線リブ12は水平支持面11により断面係数が高められているので、十分な構造強度が確保できている。こうした水平支持面11は、複合対角線リブ12の端部から断面コの字状になるように延設して形成することもできるが、この場合折り曲げ加工が２回必要となる。本発明では、表面板２から水平支持面11までを断面クランク状に折り曲げて形成するため、折り曲げ加工が１回で済み、結果として製造コストを抑えることができるのである。
【００１４】
次に、端部を上記水平支持面11に当接させた単純対角線リブ13側に荷重Ｆが掛かった場合、図４に見られるように、水平支持面11と略当接状態にある単純対角線リブ13の端部が水平支持面11を下方へ向けて押圧する。本例のようにコア材５を充填している場合には、このコア材５が水平支持面11を押圧する。こうして荷重Ｆは水平支持面11を介して複合対角線リブ12にも加わることになり、荷重Ｆに対して複合対角線リブ12と単純対角線リブ13とが共同して対抗することになる結果、分画開口部６としての構造強度が向上するのである。しかも、対角線を挟む端部双方に断面コの字状の対角線リブを形成する場合に比べ、複合対角線リブ12は前記端部の一方にのみ形成すればよいので、材料を節約できる利点がある。水平支持面11は、図３又は図４に見られるように、略水平、好ましくは若干上向きに形成している。これにより、裏面板３と略当接状態になる水平支持面11が前記裏面板３との間に隙間を形成し、分画開口部６における床板の変形を妨げないようになる。
【００１５】
【発明の効果】
本発明の床板では、基礎床面に添わせるために設けた分画開口部の構造強度を容易かつ低コストで向上させることができる。具体的には、本発明の分画開口部の構造は、従来と比較して大きな相異点が少なく、加工手順の数も変わらない、すなわち水平支持面を有する複合対角線リブの成形は一度の折り曲げ加工で一括して実施できるため、従来と同じ生産ラインを利用して作り上げることができる利点を有し、加えて対角線を挟む端部双方を断面コの字状に形成する場合に比べて材料を節約できるので、結果としてコスト上昇を抑えながら、必要十分な構造強度の確保を実現するのである。
【図面の簡単な説明】
【図１】本発明のフリーアクセス床板の平面図である。
【図２】同背面図である。
【図３】複合対角線リブ側に荷重Ｆが懸けられた場合の図１中Ａ−Ａ断面図である。
【図４】単純対角線リブ側に荷重Ｆが懸けられた場合の図１中Ａ−Ａ断面図である。
【符号の説明】
１  フリーアクセス床板
２  表面板
３  裏面板
６  分画開口部
11  水平支持面
12  複合対角線リブ
13  単純対角線リブ
【図１】
0003649500.tif 000002
【図２】
0003649500.tif 000003
【図３】
0003649500.tif 000004
【図４】
0003649500.tif 000005